(57)【要約】【課題】便器の交換などを必要とすることなく、利用者の尿温を適切に測定することが可能な尿温測定装置を提供する。【解決手段】尿温測定装置１００は、洋式便器２００の辺縁部２１０を辺縁保持部７０で保持した状態で、温度センサを湾曲自在なフレキシブルアーム３０で便器内部の任意の位置に配置することができる。従って、便器を交換するような大規模な工事を必要とすることなく、既存の洋式便器２００の内部に温度センサを配置することができる。しかも、様々な利用者ごとに尿水が適切に供給される位置に温度センサを配置することができる。【選択図】図１
2012017548.tif 000002
【特許請求の範囲】
【請求項１】
感温部を備える温度センサと、
少なくとも洋式便器の辺縁部を保持する辺縁保持部と、
前記温度センサで検出された尿温を表示出力する尿温表示部と、
前記辺縁保持部に末端部が固定されていて先端部に装着されている前記温度センサの位置が可変自在な可変支持機構と、
を有する尿温測定装置。
【請求項２】
前記可変支持機構が、湾曲自在なフレキシブルアームからなる請求項１に記載の尿温測定装置。
【請求項３】
前記フレキシブルアームが伸縮自在に形成されている請求項２に記載の尿温測定装置。
【請求項４】
前記可変支持機構は、排泄される尿水が供給されるとともに前記洋式便器の洗浄水で洗浄される位置に前記温度センサを配置する請求項１ないし３の何れか一項に記載の尿温測定装置。
【請求項５】
排泄される尿水が供給される位置に配置された前記温度センサに前記洋式便器の洗浄水を誘導する導水部材を、さらに有する請求項１ないし３の何れか一項に記載の尿温測定装置。
【請求項６】
前記辺縁保持部が、前記洋式便器の前記辺縁部を上方から挟持するコ字状の断面形状に形成されており、
前記尿温表示部が、前記辺縁保持部の上面に配置されている請求項１ないし５の何れか一項に記載の尿温測定装置。
【請求項７】
前記辺縁保持部が、前記洋式便器の前記辺縁部を上方から挟持するコ字状の断面形状に形成されており、
前記尿温表示部が、前記辺縁保持部から側方に突出している請求項１ないし５の何れか一項に記載の尿温測定装置。
【請求項８】
前記辺縁保持部が、開閉自在で弾発的に閉止される前記コ字状に形成されている請求項６または７に記載の尿温測定装置。
【請求項９】
前記辺縁保持部が、前記洋式便器のＵ型便座の先端の間隙に配置される形状に形成されている請求項１ないし８の何れか一項に記載の尿温測定装置。
【請求項１０】
利用者による利用開始を検出する利用検出部と、
検出された前記利用開始に対応して前記温度センサと前記尿温表示部とを起動する処理制御部と、
を有する請求項１ないし９の何れか一項に記載の尿温測定装置。
【請求項１１】
前記利用開始が検出されてから所定時間が経過しても前記温度センサで尿温が検出されないとエラー音を報知出力するエラー報知部を、さらに有する請求項１０に記載の尿温測定装置。
【請求項１２】
前記利用検出部は、前記利用者の接近を検出する人感センサからなる請求項９ないし１１の何れか一項に記載の尿温測定装置。
【請求項１３】
前記利用検出部は、前記洋式便器の便座の圧力を検出する感圧センサからなる請求項９ないし１１の何れか一項に記載の尿温測定装置。
【請求項１４】
排泄されて空中を落下する尿水を受け止めてから流出させる尿受部材を、さらに有し、
前記感温部が、空中を落下する前記尿水と前記尿受部材に衝突した前記尿水とがともに流動して前記尿受部材から流出する尿水に浸漬しない位置に配置されている請求項１ないし１３の何れか一項に記載の尿温測定装置。
【発明の詳細な説明】
【技術分野】
【０００１】
本発明は、尿水の温度である尿温を測定する尿温測定装置に関する。
【背景技術】
【０００２】
より正確な体の深部体温を測定する方法として、尿水の温度である尿温を用いることが試みられている。これに対応して、利用者が排泄した尿水の温度を測定する尿温測定装置が提案されている。
【０００３】
例えば、特許文献１には、船底形の採尿容器の底部に形成された尿溜まり（採尿容器）と、この尿溜まりに面して設けられたサーミスタとを備えた尿温測定装置が記載されている。
【０００４】
この尿溜まりには、小径の流出口がサーミスタの下方に開口形成されている。そして、特許文献１の温測定装置は、採尿容器に貯留された尿水に浸漬されたサーミスタで尿温を測定する。
【先行技術文献】
【特許文献】
【０００５】
【特許文献１】特開２００８−７３３１４号公報
【発明の概要】
【発明が解決しようとする課題】
【０００６】
特許文献１に記載された尿温測定装置は、洋式便器に一体に内蔵されている。このため、既存の一般的な便器の利用者は利用することができず、利用するためには便器を交換する大規模な工事が必要となる。
【０００７】
しかも、特許文献１の尿温測定装置では、出没自在なアーム機構で温度センサを便器内部の所定位置に配置する。しかし、いわゆる洋式便器の利用者だけでも、例えば、立ち姿勢の男性、着座姿勢の男性、着座姿勢の女性、前後逆様の着座姿勢の男性幼児、前後逆様の着座姿勢の女性幼児、が想定される。
【０００８】
これらの利用者では、尿水の排泄が開始される位置も、排泄された尿水が洋式便器に投入される軌跡も、相違している。従って、特許文献１の尿温測定装置では、利用者によっては尿水が温度センサに適切に供給されず、尿温が正確に測定されない可能性が高い。
【０００９】
本発明は上述の課題に鑑みてなされたものであり、便器の交換を必要とすることもなく、利用者の尿温を適切に測定することが可能な尿温測定装置を提供するものである。
【課題を解決するための手段】
【００１０】
本発明の尿温測定装置は、感温部を備える温度センサと、少なくとも洋式便器の辺縁部を保持する辺縁保持部と、温度センサで検出された尿温を表示出力する尿温表示部と、辺縁保持部に末端部が固定されていて先端部に装着されている温度センサの位置が可変自在な可変支持機構と、を有する。
【００１１】
従って、本発明の尿温測定装置では、温度センサが感温部を備える。少なくとも洋式便器の辺縁部を着脱自在に辺縁保持部が保持する。温度センサで検出された尿温を尿温表示部が表示出力する。辺縁保持部に末端部が固定されている可変支持機構の先端部に装着されている温度センサの位置が可変自在である。このため、本実施の形態の尿温測定装置では、少なくとも洋式便器の辺縁部を辺縁保持部で保持した状態で、温度センサが可変支持機構で便器内部の任意の位置に配置される。
【００１２】
また、上述のような尿温測定装置において、可変支持機構が、湾曲自在なフレキシブルアームからなってもよい。
【００１３】
また、上述のような尿温測定装置において、フレキシブルアームが伸縮自在に形成されていてもよい。
【００１４】
また、上述のような尿温測定装置において、可変支持機構は、排泄される尿水が供給されるとともに洋式便器の洗浄水で洗浄される位置に温度センサを配置してもよい。
【００１５】
また、上述のような尿温測定装置において、排泄される尿水が供給される位置に配置された温度センサに洋式便器の洗浄水を誘導する導水部材を、さらに有してもよい。
【００１６】
また、上述のような尿温測定装置において、辺縁保持部が、洋式便器の辺縁部を上方から挟持するコ字状の断面形状に形成されており、尿温表示部が、辺縁保持部の上面に配置されていてもよい。
【００１７】
また、上述のような尿温測定装置において、辺縁保持部が、洋式便器の辺縁部を上方から挟持するコ字状の断面形状に形成されており、尿温表示部が、辺縁保持部から側方に突出していてもよい。
【００１８】
また、上述のような尿温測定装置において、辺縁保持部が、開閉自在で弾発的に閉止されるコ字状に形成されていてもよい。
【００１９】
また、上述のような尿温測定装置において、辺縁保持部が、洋式便器のＵ型便座の先端の間隙に位置する形状に形成されていてもよい。
【００２０】
また、上述のような尿温測定装置において、利用者による利用開始を検出する利用検出部と、検出された利用開始に対応して温度センサと尿温表示部とを起動する処理制御部と、を有してもよい。
【００２１】
また、上述のような尿温測定装置において、利用開始が検出されてから所定時間が経過しても温度センサで尿温が検出されないとエラー音を報知出力するエラー報知部を、さらに有してもよい。
【００２２】
また、上述のような尿温測定装置において、利用検出部は、利用者の接近を検出する人感センサからなってもよい。
【００２３】
また、上述のような尿温測定装置において、利用検出部は、洋式便器の便座の圧力を検出する感圧センサからなってもよい。
【００２４】
また、上述のような尿温測定装置において、排泄されて空中を落下する尿水を受け止めてから流出させる尿受部材を、さらに有し、感温部が、空中を落下する尿水と尿受部材に衝突した尿水とがともに流動して尿受部材から流出する尿水に浸漬しない位置に配置されていてもよい。
【００２５】
なお、上記発明において、対象物が尿水に浸漬するとは、凹部に貯留された尿水に対象物がひたされることを意味する。また、感温部が尿受部材から流出する尿水に浸漬しない位置に配置されているとは、成人の標準的な排尿の軌跡で排泄された尿水の全量を尿受部材で受けたときに、尿水が尿受部材に貯留されることなく感温部を流下するか、または尿受部材に貯留された尿水が感温部に接触せずに流下することをいう。
【００２６】
また、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【発明の効果】
【００２７】
本発明の尿温測定装置では、少なくとも洋式便器の辺縁部を辺縁保持部で保持した状態で、温度センサを湾曲自在なフレキシブルアームで便器内部の任意の位置に配置することができる。従って、便器を交換するような大規模な工事を必要とすることなく、既存の洋式便器の内部に温度センサの感温部を配置することができる。しかも、様々な利用者ごとに尿水が適切に供給される位置に温度センサの感温部を配置することができるので、様々な利用者の利用形態に対応して尿温を適切に測定することができる。
【図面の簡単な説明】
【００２８】
【図１】本発明の第一実施形態にかかる尿温測定装置を示す斜視図である。
【図２】感温部および尿受部材を拡大した斜視図である。
【図３】第二実施形態の尿温測定装置の先端部を示す斜視図である。
【図４】第三実施形態の尿温測定装置の先端部を示す斜視図である。
【図５】第四実施形態の尿温測定装置の先端部を示す斜視図である。
【図６】一変形例の尿温測定装置を示す斜視図である。
【発明を実施するための形態】
【００２９】
以下、本発明の実施形態を図面に基づいて説明する。なお、すべての図面において、同様な構成要素には同様の符号を付し、適宜説明を省略する。
【００３０】
＜第一実施形態＞
図１は、本発明の第一実施形態にかかる尿温測定装置１００を示す斜視図、図２は尿温測定装置１００の先端部を示す拡大した斜視図、である。
【００３１】
本実施の形態の尿温測定装置１００は、図１に示すように、感温部１２を備える温度センサ１０と、少なくとも洋式便器２００の辺縁部２１０を着脱自在に保持する辺縁保持部７０と、温度センサ１０で検出された尿温を表示出力する尿温表示部７２と、辺縁保持部７０に末端部が固定されていて先端部に装着されている温度センサ１０の位置が可変自在な可変支持機構であるフレキシブルアーム３０と、を有する。
【００３２】
さらに、本実施の形態の尿温測定装置１００では、フレキシブルアーム３０が湾曲自在かつ伸縮自在に形成されている。このため、フレキシブルアーム３０は、排泄される尿水が供給されるとともに洋式便器２００の洗浄水で洗浄される位置に温度センサ１０を配置することができる。
【００３３】
また、辺縁保持部７０が、洋式便器２００の辺縁部２１０を上方から挟持するコ字状の断面形状に形成されており、尿温表示部７２が、辺縁保持部７０の上面に配置されている。
【００３４】
さらに、本実施の形態の尿温測定装置１００は、図２に示すように、排泄されて空中を落下する尿水Ｕ１を受け止めてから流出させる尿受部材２０も有する。そして、感温部１２が、空中を落下する尿水Ｕ１と尿受部材２０に衝突した尿水Ｕ２とがともに流動して尿受部材２０から流出する尿水に浸漬しない位置に配置されている。そして、感温部１２は、落下中の尿水Ｕ１，Ｕ２の温度を測定するよう構成されている。
【００３５】
次に、本実施形態について詳細に説明する。本実施形態の尿温測定装置１００は、図１に示すように、いわゆるＵ型便座２２０の洋式便器２００での使用を想定されている。Ｕ型便座２２０は、文字通り後端部に間隙２２１が拡開している。
【００３６】
そこで、本実施の形態の尿温測定装置１００では、一般的なＵ型便座２２０の間隙２２１の位置で洋式便器２００の辺縁部２１０に上方から装着される構造に辺縁保持部７０が形成されている。
【００３７】
辺縁保持部７０の前面には、細長形状のフレキシブルアーム３０が装着されている。フレキシブルアーム３０は、いわゆる蛇腹構造に形成されており、湾曲自在であるとともに伸縮自在である。
【００３８】
フレキシブルアーム３０の内部には温度センサ１０が設けられている。具体的には、温度センサ１０の信号線１６がフレキシブルアーム３０に挿通されており、フレキシブルアーム３０の最先端位置には感温部１２が設けられて信号線１６が接続されている。感温部１２による温度測定結果にかかる信号は、信号線１６を通じて辺縁保持部７０に伝送される。
【００３９】
辺縁保持部７０の内部には制御部（図示せず）が設けられている。制御部の具体的な動作の説明は省略するが、感温部１２から信号線１６を通じて伝送された信号を読みとって温度データに換算し、この測定温度を尿温表示部７２に表示出力する。
【００４０】
温度センサ１０には、熱電対や、白金センサやサーミスタなどの測温抵抗式の温度センサを用いることができる。そして、熱電対や測温抵抗体が感温部１２にあたる。
【００４１】
本実施形態の尿温表示部７２は、小数点以下第二位までの摂氏温度の表示形式で測定温度を表示する。かかる測定精度で尿温を測定する場合、特許文献１のように採尿容器に尿水を貯留して温度測定する方式では、貯留されている間の温度変化の影響が無視できなくなる。
【００４２】
これに対し、本実施形態の尿温測定装置１００は、流下中の尿水Ｕ１，Ｕ２の温度を測定することができるため、排泄されてから温度測定されるまでの尿温の変化を低減することが可能であり、小数点以下第二位のオーダーの測定精度を実現することができる。そして、このオーダーで尿温を測定することで、例えば、病気の発症前の体調変化や、基礎体温の周期的な変化を検知することが可能となる。
【００４３】
辺縁保持部７０には、温度測定の動作を指示するための操作ボタンを備えている。本実施形態では、一例として、利用検出部である電源ボタン７６とリセットボタン７７とが辺縁保持部７０の上面に尿温表示部７２とともに配列されている。
【００４４】
電源ボタン７６を押下すると、制御部は温度センサ１０に電力を供給し、尿温を測定可能なスタンバイ状態とする。また、リセットボタン７７を押下すると、尿温表示部７２に表示された前回の温度測定結果がクリアされる。
【００４５】
このほか、辺縁保持部７０には、温度測定結果を外部機器に出力するためのインタフェースや操作ボタンを任意で設けてもよい。また、尿温表示部７２の表示出力は所定時間の経過により自動的に消灯されてもよい。
【００４６】
本実施形態の尿温測定装置１００は、尿受部材２０を備えている。尿受部材２０は、排泄された尿水を受け止めて、その少なくとも一部を感温部１２に向けて案内するための部材である。尿受部材２０は、熱伝導率が低く、撥水性が良好で水滴が滞留しにくく、尿石などの汚損が滞積しにくい、樹脂やセラミックなどで形成される。
【００４７】
尿受部材２０の具体的な形状は特に限定されず、半割筒状や本実施形態のような椀状などの曲面状のほか、後述する第三実施形態のような網状（メッシュ状）や、第四実施形態のような螺旋状など、種々の形態を採ることができる。
【００４８】
尿受部材２０は感温部１２の周囲またはその上方に設けられている。本実施形態でいう上方とは、ユーザが辺縁保持部７０を把持した場合に上側にあたる、尿水の流入側を便宜的に規定するものである。
【００４９】
尿受部材２０は、無底の椀状または筒状をなしている。尿水Ｕ３の流出口２４は、尿水Ｕ１の流入口２２と略同径またはそれ以上である。ここで、流出口２４と流入口２２と略同径であるとは、流出口２４の開口面積が流入口２２の開口面積の二分の一以上であるこという。
【００５０】
流出口２４は、流入口２２よりも大径でもよい。流出口２４を流入口２２よりも小径とする場合、尿受部材２０に流入した尿水Ｕ１，Ｕ２が尿受部材２０の内部で滞留しないよう、流出口２４を充分な開口面積とする。
【００５１】
尿受部材２０は、成人の標準的な最大尿流率の尿水が持続的に尿受部材２０に供給された場合にも、尿受部材２０に尿水の滞留領域が形成されないか、またはこの滞留領域の外部に感温部１２が設けられており、感温部１２は尿水に浸漬することがない。
【００５２】
流出口２４の開口面積は、成人の標準的な尿水の流束の断面積よりも大きい。より具体的には、流出口２４は、成人の標準的な最大尿流率である１５ｍｌ／秒の尿水が持続的に通過可能な開口面積を有している。
【００５３】
さらに、流出口２４は、１５ｍｌ／秒の流量の尿水が、感温部１２の位置を起点（速度ゼロ）として自由落下した場合にも、当該尿水が尿受部材２０の内部で滞留することなく通過可能なだけの開口面積を有している。
【００５４】
本実施形態の尿受部材２０は、下方（流出口２４側）に向かって凸となる無底の椀状をなしている。尿受部材２０はフレキシブルアーム３０の先端部に固定されており、感温部１２は尿受部材２０の内側に突出した位置に、かつ尿受部材２０から離間して設けられている。
【００５５】
図２は、感温部１２および尿受部材２０の拡大図である。フレキシブルアーム３０の一部と辺縁保持部７０は図示を省略している。同図を用いて、本実施形態の尿温測定装置１００による尿温測定方法（以下、本方法という場合がある）を説明する。
【００５６】
本方法は、感温部１２を備える温度センサ１０および尿受部材２０を有する尿温測定装置１００によって尿水Ｕ１，Ｕ２の温度を測定する方法に関する。そして本方法では、排泄されて空中を落下する尿水Ｕ１と尿受部材２０に衝突した尿水Ｕ２とがともに通過する位置で尿受部材２０から流出する尿水Ｕ３に浸漬しない位置の感温部１２によって、落下する尿水Ｕ１，Ｕ２の温度を測定する。
【００５７】
利用者が排泄した尿水の一部（尿水Ｕ１）は直接に感温部１２に衝突し、他の一部（尿水Ｕ２）は尿受部材２０の内側面２６で向きを変えられて飛散する。飛散した尿水Ｕ２の少なくとも一部は感温部１２と接触する。感温部１２に接触した尿水Ｕ１，Ｕ２は、感温部１２の周囲で滞留することなく流出口２４より尿水Ｕ３として流下する。
【００５８】
また、空気は熱容量が小さいため、空中を落下する尿水Ｕ１は、ほぼ深部体温を保ったままで感温部１２に至る。尿受部材２０で衝突した尿水Ｕ２に関しても、尿受部材２０との衝突時間は一瞬であるため、尿受部材２０と尿水Ｕ２との熱授受は僅かである。
【００５９】
そして、感温部１２の取り囲む尿受部材２０に衝突した尿水Ｕ２は全周囲から感温部１２に向かって反射する。このため、ほぼ深部体温を保った尿水Ｕ１，Ｕ２が感温部１２に多量に供給されて尿温が測定される。
【００６０】
また、本実施の形態の尿温測定装置１００は、洋式便器２００に常設しておくことができるので、利用者は日常的に自身の尿温を測定することができる。このため、腋下温度をあえて測定する動機づけに至らない未病状態などにおいても、僅かな体調の悪化を検知することができる。
【００６１】
そして、本実施の形態の尿温測定装置１００では、洋式便器２００の辺縁部２１０を辺縁保持部７０で保持した状態で、温度センサ１０を湾曲自在なフレキシブルアーム３０で便器内部の任意の位置に配置することができる。従って、便器を交換するような大規模な工事を必要とすることなく、既存の洋式便器２００の内部に温度センサ１０を配置することができる。
【００６２】
しかも、立ち姿勢の男性、着座姿勢の男性、着座姿勢の女性、前後逆様の着座姿勢の男性幼児、前後逆様の着座姿勢の女性幼児、等の様々な利用者ごとに尿水が適切に供給される位置に温度センサ１０の感温部１２を配置することができるので、様々な利用者の利用形態に対応して尿温を適切に測定することができる。
【００６３】
さらに、上述のように尿水が適切に供給されるような位置でありながらも、洋式便器２００の洗浄水で洗浄される位置に、温度センサ１０の感温部１２や尿受部材２０を配置することができる。
【００６４】
この場合、感温部１２や尿受部材２０を利用するごとに自動的に洗浄することができるので、手作業で感温部１２や尿受部材２０を洗浄せずとも、常時衛生的に尿温測定装置１００を利用することができる。
【００６５】
＜第二実施形態＞
図３は本実施形態にかかる尿温測定装置１００の先端部を示す斜視図である。本実施形態の尿受部材２０は無底の筒状をなし、その軸方向（同図の上下方向）が尿水Ｕ１，Ｕ２の通過方向にあたる。
【００６６】
より具体的には、本実施形態の尿受部材２０は、流入口２２から流出口２４に向かって縮径するテーパー管状をなしている。ただし、流出口２４は、流下する尿水Ｕ３の流量に比べて充分な開口面積を有しており、尿水Ｕ３は尿受部材２０の内部に貯留されることはない。
【００６７】
また、尿水Ｕ１，Ｕ２の流量が多く、流出口２４の近傍に尿水が滞留したとしても、感温部１２は尿受部材２０の略中央またはその上方に設けられているため、滞留した尿水に感温部１２が浸漬することはない。
【００６８】
尿受部材２０には、温度センサ１０の先端部１８が貫入している。温度センサ１０の先端部１８には感温部１２が設けられており、感温部１２は尿受部材２０の内側に内包されている。
【００６９】
尿受部材２０の少なくとも一部は、尿水Ｕ１の流入側に向かって凸状に形成されている。本実施形態の場合、テーパー管状の尿受部材２０の内側面２６は流入口２２および内側に向かって凸状をなしている。
【００７０】
これにより、尿水Ｕ２は内側面２６で反射したのち、尿受部材２０の略中央に配置された感温部１２に向かって飛散する。言い換えると、尿水Ｕ２のうち、内側面２６の表面に沿って流れ落ちる流量を低減し、内側面２６で反射して感温部１２に到達する流量を増大させることができる。
【００７１】
本実施形態の尿温測定装置１００は、感温部１２の少なくとも一部が尿水Ｕ１の流下方向に延在している。尿水Ｕ１の流下方向は上下方向であり、感温部１２はフレキシブルアーム３０から尿受部材２０の軸方向に沿って流入口２２側または流出口２４側の一方または両方に向かって延在している。図３に示す本実施形態の温度センサ１０の場合、感温部１２の全体を含む温度センサ１０の先端部１８が流入口２２に向かって屈曲形成されている。
【００７２】
これにより、空中を落下する尿水Ｕ１と、内側面２６で反射した尿水Ｕ２が、ともに感温部１２の延在方向（長手方向）に沿って流下することとなり、尿水Ｕ１，Ｕ２と感温部１２との接触時間を長くすることができる。
【００７３】
従って、尿受部材２０によって尿水Ｕ２を感温部１２に案内する機能とあいまって、尿水Ｕ１，Ｕ２を感温部１２に対して充分に接触させることができるため、尿温を適切に測定することが可能である。
【００７４】
なお、本実施形態に代えて、温度センサ１０の先端部１８を流出口２４に向けて屈曲形成してもよく、または先端部１８をＴ字状として、流入口２２および流出口２４の双方に向かって感温部１２を両側に延在させてもよい。
【００７５】
なお、上述のような形状に尿受部材２０を形成しても、やはり排泄される尿水が良好に供給される位置でありながら、洋式便器２００の洗浄水で洗浄される位置に、温度センサ１０の感温部１２や尿受部材２０を配置することができる。
【００７６】
このため、感温部１２や尿受部材２０を利用するごとに自動的に洗浄することができるので、手作業で感温部１２や尿受部材２０を洗浄せずとも、常時衛生的に尿温測定装置１００を利用することができる。
【００７７】
＜第三実施形態＞
図４は本実施形態にかかる尿温測定装置１００の先端部を示す斜視図である。本実施形態の尿受部材２０は、感温部１２を内部に収容する網状体である。より具体的には、本実施形態の尿受部材２０は上方開口した椀状をなしている。
【００７８】
流入口２２は、開口部に周設されたフレーム部２３によって画成されている。一方、網状体からなる本実施形態の尿受部材２０は、椀状の周面の全体が流出口２４となって尿水Ｕ３を流下させる。
【００７９】
尿受部材２０は、所定の太さの線材を編組してなる。線材同士のピッチは線材の太さよりも大きい。言い換えると、尿受部材２０の目開きの面積は、線材部分の面積よりも大きい。
【００８０】
これにより、尿水Ｕ１，Ｕ２が感温部１２の周囲に滞留することなく尿水Ｕ３として尿受部材２０を通過することができる。また、尿受部材２０に衝突した尿水Ｕ２の一部の飛沫は反射して感温部１２に到達し、空中を落下する尿水Ｕ１とともに、感温部１２で尿温が測定される。
【００８１】
一方、尿水Ｕ２の他の一部は尿受部材２０の網目に付着して熱を授受し、尿受部材２０および感温部１２の周囲の雰囲気を利用者の体温に近づける。これにより、尿温が測定される尿水Ｕ１，Ｕ２と雰囲気との熱授受が低減される。
【００８２】
つまり、本実施形態の尿受部材２０では、尿受部材２０と感温部１２とが離間しているため、尿受部材２０の網目に付着して雰囲気を加温（雰囲気が体温よりも高温の場合は冷却）する尿水Ｕ２と、尿受部材２０で反射して感温部１２で温度測定に供される尿水Ｕ１，Ｕ２とが区別される。これにより、尿受部材２０および雰囲気と熱授受して温度降下（または温度上昇）した尿水Ｕ２によって温度測定結果に測定誤差が生じることが防止される。
【００８３】
なお、上述のような形状に尿受部材２０を形成しても、やはり排泄される尿水が良好に供給される位置でありながら、洋式便器２００の洗浄水で洗浄される位置に、温度センサ１０の感温部１２や尿受部材２０を配置することができる。
【００８４】
このため、感温部１２や尿受部材２０を利用するごとに自動的に洗浄することができるので、手作業で感温部１２や尿受部材２０を洗浄せずとも、常時衛生的に尿温測定装置１００を利用することができる。
【００８５】
＜第四実施形態＞
図５は本実施形態にかかる尿温測定装置１００の先端部を示す斜視図である。本実施形態の尿受部材２０は、温度センサ１０の先端部１８を螺旋状に巻成してなり、温度センサ１０の感温部１２は、螺旋状の尿受部材２０の先端に設けられている。
【００８６】
すなわち、温度センサ１０が内部に設けられたフレキシブルアーム３０と一体に形成されている螺旋状の先端部が尿受部材２０を構成している。尿受部材２０は螺旋テーパー状をなし、先端側にあたる流出口２４の径よりも、基端側にあたる流入口２２の径の方が大きい。
【００８７】
これにより、利用者が排泄した尿水Ｕ１，Ｕ２は、大径の流入口２２によって捕集され、小径の流出口２４の略中央に位置する感温部１２に向かって案内される。ここで、流入口２２の径は、螺旋状の尿受部材２０のもっとも基端側の周回の巻径であり、流出口２４の径は、螺旋状の尿受部材２０のもっとも先端側の周回の巻径である。
【００８８】
尿水Ｕ１は、空中を落下して感温部１２に直接に到達する尿である。尿水Ｕ２は、尿受部材２０に衝突し、螺旋の内側に飛散して感温部１２に到達する尿である。また、尿水Ｕ４は、尿受部材２０の螺旋に沿って流下して感温部１２に到達する尿である。そして、尿水Ｕ３は、尿受部材２０から排出される尿である。
【００８９】
本実施形態の尿受部材２０は、尿水Ｕ３が滞留することがないよう、流出口２４が充分な開口面積を有している。これにより、感温部１２では、流下中の尿水Ｕ１，Ｕ２，Ｕ４の温度が測定される。
【００９０】
尿受部材２０に沿って渦状に流れる尿水Ｕ４は尿受部材２０の螺旋部分と接触して所定の熱授受がなされるものの、棒状のフレキシブルアーム３０は表面積が僅かであり尿水Ｕ４の温度変化は限定的である。このため、貯留された尿水の温度を測定する従来の尿温測定装置に比べて、高い測定精度で尿温を測定することが可能である。
【００９１】
本実施形態の尿温測定装置１００によれば、螺旋テーパー状の尿受部材２０によって利用者の尿水を感温部１２に向かって良好に案内することができる。また、尿受部材２０には尿水が貯留されないため、尿受部材２０との熱授受が抑制された尿水の温度を感温部１２によって測定することができる。
【００９２】
なお、上述のような形状に尿受部材２０を形成しても、やはり排泄される尿水が良好に供給される位置でありながら、洋式便器２００の洗浄水で洗浄される位置に、温度センサ１０の感温部１２や尿受部材２０を配置することができる。
【００９３】
このため、感温部１２や尿受部材２０を利用するごとに自動的に洗浄することができるので、手作業で感温部１２や尿受部材２０を洗浄せずとも、常時衛生的に尿温測定装置１００を利用することができる。
【００９４】
＜第五実施形態＞
図６は、本発明の第一実施形態にかかる尿温測定装置３００を示す斜視図である。本実施の形態の尿温測定装置３００では、辺縁保持部７０が、洋式便器２００の辺縁部２１０を上方から挟持するコ字状の断面形状に形成されており、尿温表示部７２が、辺縁保持部７０から側方である後方に突出している。
【００９５】
次に、本実施形態について詳細に説明する。本実施形態の尿温測定装置１００は、いわゆるＯ型便座４１０の洋式便器４００での使用に適用できるものである。本実施の形態の尿温測定装置１００の辺縁保持部７０を洋式便器４００の辺縁部２１０に装着してから、Ｏ型便座４１０を着座位置に配置しても、同図(ｂ)に示すように、このＯ型便座４１０から外側に尿温表示部７２が電源ボタン７６およびリセットボタン７７とともに突出する。
【００９６】
このため、本実施の形態の尿温測定装置３００は、洋式便器４００のＯ型便座４１０を着座位置に配置しても、尿温表示部７２と電源ボタン７６とリセットボタン７７とを問題なく利用することができる。
【００９７】
なお、本実施の形態の尿温測定装置３００は、前述したＵ型便座２２０の洋式便器２００の左方や右方の辺縁部２１０に辺縁保持部７０を装着する場合にも利用することができる(図示せず)。
【００９８】
そして、本実施の形態の尿温測定装置３００でも、洋式便器４００の辺縁部２１０を辺縁保持部７０で保持した状態で、温度センサ１０を湾曲自在なフレキシブルアーム３０で便器内部の任意の位置に配置することができる。従って、便器を交換するような大規模な工事を必要とすることなく、既存の洋式便器４００の内部に温度センサ１０を配置することができる。
【００９９】
しかも、立ち姿勢の男性、着座姿勢の男性、着座姿勢の女性、前後逆様の着座姿勢の男性幼児、前後逆様の着座姿勢の女性幼児、等の様々な利用者ごとに尿水が適切に供給される位置に温度センサ１０を配置することができるので、様々な利用者の利用形態に対応して尿温を適切に測定することができる。
【０１００】
なお、上述のような形状に尿受部材２０を形成しても、やはり排泄される尿水が良好に供給される位置でありながら、洋式便器２００の洗浄水で洗浄される位置に、温度センサ１０の感温部１２や尿受部材２０を配置することができる。
【０１０１】
このため、感温部１２や尿受部材２０を利用するごとに自動的に洗浄することができるので、手作業で感温部１２や尿受部材２０を洗浄せずとも、常時衛生的に尿温測定装置１００を利用することができる。
【０１０２】
なお、本発明は上述の実施形態に限定されるものではなく、本発明の目的が達成される限りにおける種々の変形、改良等の態様も含む。例えば、上記形態では一般的な洋式便器２００等の辺縁部２１０の板厚が略一定であることを前提として、尿温測定装置１００，３００の辺縁保持部７０が固定的なコ字状に形成されていることを例示した。
【０１０３】
しかし、尿温測定装置の辺縁保持部が開閉自在で弾発的に閉止されるコ字状に形成されていてもよい(図示せず)。この場合、洋式便器２００等の辺縁部２１０の各種の板厚に対応することができ、より確実に洋式便器２００等の辺縁部２１０に尿温測定装置の辺縁保持部を装着することができる。
【０１０４】
また、本実施の形態の尿温測定装置１００等では、電源ボタン７６の手動操作により起動することを例示した。しかし、このような尿温測定装置が、利用者による利用開始を検出する利用検出部として人感センサや感圧センサなどを有し、検出された利用開始に対応して温度センサと尿温表示部とを処理制御部(図示せず)で自動的に起動してもよい(図示せず)。
【０１０５】
さらに、本実施の形態の尿温測定装置１００等では、フレキシブルアーム３０により所望の位置に温度センサ１０が配置されることにより、その感温部１２に尿水が適切に供給されるものとして説明した。
【０１０６】
しかし、それでも尿水が適切に供給されないこともある。このような場合に尿温測定装置がエラー音を出力したり、尿水が適切に供給されているときに所定音を出力することなどにより、尿水の排泄方向の修正を誘導してもよい(図示せず)。
【０１０７】
また、上述のように人感センサや感圧センサで人間を検出してから所定時間が経過しても温度センサ１０が尿温を検出しないときに、エラー音を発生して尿水の排泄方向の修正を誘導してもよい(図示せず)。
【０１０８】
また、上記形態では温度センサ１０で尿温のみ直接に検出することを例示した。しかし、起動時などに温度センサ１０で雰囲気温度を検出してから尿温を検出し、この検出される尿温を雰囲気温度に対応して補正してもよい。
【０１０９】
また、上記形態では尿受部材２０が、排泄されて空中を落下する尿水Ｕ１を受け止めてから流出させるとともに、温度センサ１０の感温部１２に誘導する形状に形成されていることのみ例示した。
【０１１０】
しかし、前述のように尿受部材２０と温度センサ１０の感温部１２との部分を、洋式便器２００等の洗浄水で洗浄される位置に配置することもできる。そこで、このような洗浄水で感温部１２などが適切に洗浄される形状に、尿受部材が形成されていてもよい(図示せず)。
【０１１１】
例えば、洋式便器２００等には、洗浄水を螺旋状に流動させる方式と略垂直に流動させる方式がある。そこで、このような洗浄水を良好に受水するように、尿受部材の形状を工夫してもよい(図示せず)。
【０１１２】
さらに、上記形態では排泄される尿水が供給されるとともに洋式便器２００の洗浄水で洗浄される位置に、温度センサ１０をフレキシブルアーム３０で配置することを例示した。
【０１１３】
しかし、排泄される尿水が供給される位置にフレキシブルアーム３０で配置された温度センサ１０に導水部材(図示せず)で洗浄水を誘導してもよい。この場合、尿水は適切に供給されるが洗浄水は供給されない位置に温度センサ１０を配置しても、その温度センサ１０に洗浄水を供給して洗浄することができる。
【０１１４】
このような導水部材は、例えば、尿受部材と一体に形成することができる。例えば、図２に示すように、感温部１２の周囲を椀状に包囲する尿受部材２０ならば、これを利用して洗浄水を感温部１２に誘導することができる。
【０１１５】
この場合、尿受部材２０は、尿温の測定時には、尿水を感温部１２に誘導することになり、洗浄時には、洗浄水を感温部１２に誘導することになる。つまり、尿受部材と導水部材とを一個の部材で形成することができる。
【０１１６】
さらに、本実施の形態の尿温測定装置１００，３００は、少なくとも洋式便器２００，４００の辺縁部２１０に装着されることを必須としている。しかし、このような尿温測定装置１００，３００を和式便器に装着することも不可能ではない(図示せず)。
【０１１７】
また、本発明の尿温測定装置１００は、尿温以外の生体パラメータも尿水より取得してもよい。一例として、尿水Ｕ１，Ｕ２に含まれる尿糖の量を計測する尿糖計の機能を有してもよい。
【０１１８】
具体的には、温度センサ１０の感温部１２と同位置に、尿糖値を測定するバイオセンサを並設するとよい。バイオセンサとしては、例えば、尿中のグルコースを酵素によって過酸化水素に変え、その過酸化水素の量を測定する、いわゆる酵素電極法に基づく尿糖計を用いることができる。
【０１１９】
そして、尿温測定装置１００の制御部では、温度センサ１０による尿温の測定結果を用いて、尿糖計の測定結果を温度補償してもよい。具体的には、制御部は、温度センサ１０による測定温度を取得する尿温取得部と、尿糖計で測定された尿糖値を取得する尿糖値取得部と、尿温と補正係数とを対応付けた記憶部と、取得した測定温度に対応する補正係数を記憶部から呼び出して尿糖値（取得値）を補正する尿糖値補正部と、を備えるとよい。これにより、本発明による高精度の尿温測定結果を用いて尿糖値を温度補償することができるため、尿糖値に関しても適切に測定することが可能となる。
【符号の説明】
【０１２０】
１０    温度センサ
１２    感温部
１６    信号線
１８    先端部
２０    尿受部材
２２    流入口
２３    フレーム部
２４    流出口
２６    内側面
３０    フレキシブルアーム
７０    辺縁保持部
７２    尿温表示部
７６    電源ボタン
７７    リセットボタン
１００    尿温測定装置
２００    洋式便器
２１０    辺縁部
２２０    Ｕ型便座
２２１    間隙
３００    尿温測定装置
４００    洋式便器
４１０    Ｏ型便座
Ｕ１    尿水
Ｕ２    尿水
Ｕ３    尿水
Ｕ４    尿水
【図１】
2012017548.tif 000003
【図２】
2012017548.tif 000004
【図３】
2012017548.tif 000005
【図４】
2012017548.tif 000006
【図５】
2012017548.tif 000007
【図６】
2012017548.tif 000008